(57)【特許請求の範囲】
【請求項１】
天板面に設けた開口に着脱可能に取り付けられ、前記開口を略閉止するための蓋面とコンセントの差込口を有するコンセント面とを有してなる配線具を具備してなり、この配線具を選択的に上下反転させることにより前記蓋面を上向きに表出させる第１の取付位置と、前記コンセント面を天板面に表出させる第２の取付位置とを少なくとも取り得る配線装置であり、
配線具が、対向位置に配置された一対の係り合い手段を係り合わせることにより前記第１、第２の取付位置に取り付けられるものであり、これら係り合い手段が、前記両取付位置において略水平方向に係り合うとともに、
前記係り合い手段が、前記天板面に設けた開口の長手方向側の側面側に設けた軸部よりなる凸部と、この凸部と係り合うように配線具の対応位置に設けた凹溝よりなる凹部とを具備してなり、前記凹部が、前記第１、第２の取付位置において前記凸部の上下部を保持した状態で係り合い、
前記凹部を配線具の長手方向に連続させ前記凸部とともに短手方向に離間させてそれぞれ一対設けているとともに、前記一対の凹部を互いに背向する方向に開口させ、前記凸部間を相寄る方向に付勢する力付与手段を設けているものであり、前記配線具が前記係り合い手段のうち何れか一方の係り合い手段の係り合いを選択的に解除した状態で、他方の係り合い手段により回転可能に支持されて前記開口を開成し、
前記係り合い手段の凸部としての機能を有する可動ピンたる一対の軸部と、この一対の軸部を配線具の短手方向にスライド可能に係り合わせ得るよう前記開口の長手方向側の側面に配線具の短手方向に離間させて設けた一対のスライド溝とを具備するスライド機構を前記開口の長手方向両側面に有し、第１、第２の取付位置にある状態でこのスライド機構のスライド溝の内縁に前記軸部が係り合うようにしているものであることを特徴とする配線装置。
【請求項２】
係り合い手段が、スライド機構により略水平方向にスライド移動可能に支持されていることを特徴とする請求項１記載の配線装置。
【請求項３】
スライド機構が、前記配線具が第１の取付位置或いは第２の取付位置へと移動する方向へ前記可動ピンたる軸部を動かすように力を付与する力付与手段を具備していることを特徴とする請求項２記載の配線装置。
【請求項４】
配線具が、前記第１、第２の取付位置で、その縁部と対向して位置する前記開口の開口縁部との間に配線類を挿通可能な配線挿通空間を形成した状態で取り付けられることを特徴とする請求項１、２又は３記載の配線装置。
【請求項５】
配線具が、前記蓋面を形成する蓋体と、前記コンセント面を形成するコンセントを前記蓋体に取り付けるための取付部とを具備していることを特徴とする請求項１、２、３又は４記載の配線装置。
【請求項６】
前記取付部の所定箇所に相対離間距離を変更可能な状態で対をなすコンセントホルダを設け、これら両コンセントホルダ間にコンセントを挟み保持させるようにしていることを特徴とする請求項５記載の配線装置。
【請求項７】
前記開口に配線出入口を臨ませた状態で天板下空間に着脱可能に取り付けられる配線収納ボックスを具備してなることを特徴とする請求項１、２、３、４、５又は６記載の配線装置。
【発明の詳細な説明】
【０００１】
【発明の属する技術分野】
本発明は、オフィス等において好適に利用される配線装置に関するものである。
【０００２】
【従来の技術】
近時のオフィス等におけるＯＡ化の進展に伴って、居住空間には多くの配線類が引き回されるようになっている。このような配線類の引き回しは、居住空間に見苦しい状態で露出しがちであり、配線類が通路を横断したりするなどのオフィスの機能低下の要因ともなり易い。そこで、このような配線処理に関して床から立ち上げ、或いは壁際にあっては壁から引き込んだ配線類を、机などの天板下に形成した天板下空間に導いて床から机までの配線類の引き回し部分を好適に隠蔽した状態で天板に形成した開口にまで立ち上げた後、終端をその開口に定着したコンセントに接続して、このコンセントの差込口にワープロやパソコンを始めとする各種ＯＡ機器を接続して使用することが行われている。
【０００３】
具体的な例としては、前記開口に常時コンセントが上向きに定着されているものや、蓋面とコンセント面とを有する配線具を上下反転可能に取り付け、使用時には、コンセント面が上向きになるように、収納時には蓋面が上向きになるように上下反転させて取り付けるものなどがある。
【０００４】
【発明が解決しようとする課題】
ところで、常時コンセントが上向きに定着されているものは、常に一定箇所にコンセントが露出した状態となるため、天板面の使用スペースの減少や天板面の美観を損なう、ほこりがたまり易い等の不具合がある。また、回転式の場合は、上述した不具合は解消されるものの、蓋面或いはコンセント面を天板面に表出させる何れの取付位置においても、配線具が開口から落下しないようにするべく、前記配線具を開口に取り付けるための係り合い手段を複雑な形状としている場合が多く、加工に手間がかかる上、コストも増加するという問題や、装着作業が行い難い等の問題がある。
【０００５】
【課題を解決するための手段】
上記の問題点を解決するために、本発明は、天板面に設けた開口に着脱可能に取り付けられ、前記開口を略閉止するための蓋面とコンセントの差込口を有するコンセント面とを有してなる配線具を具備してなり、この配線具を選択的に上下反転させることにより前記蓋面を上向きに表出させる第１の取付位置と、前記コンセント面を天板面に表出させる第２の取付位置とを少なくとも取り得る配線装置であり、配線具が、対向位置に配置された一対の係り合い手段を係り合わせることにより前記第１、第２の取付位置に取り付けられるものであり、これら係り合い手段が、前記両取付位置において略水平方向に係り合うとともに、前記係り合い手段が、前記天板面に設けた開口の長手方向側の側面側に設けた軸部よりなる凸部と、この凸部と係り合うように配線具の対応位置に設けた凹溝よりなる凹部とを具備してなり、前記凹部が、前記第１、第２の取付位置において前記凸部の上下部を保持した状態で係り合い、前記凹部を配線具の長手方向に連続させ前記凸部とともに短手方向に離間させてそれぞれ一対設けているとともに、前記一対の凹部を互いに背向する方向に開口させ、前記凸部間を相寄る方向に付勢する力付与手段を設けているものであり、前記配線具が前記係り合い手段のうち何れか一方の係り合い手段の係り合いを選択的に解除した状態で、他方の係り合い手段により回転可能に支持されて前記開口を開成し、前記係り合い手段の凸部としての機能を有する可動ピンたる一対の軸部と、この一対の軸部を配線具の短手方向にスライド可能に係り合わせ得るよう前記開口の長手方向側の側面に配線具の短手方向に離間させて設けた一対のスライド溝とを具備するスライド機構を前記開口の長手方向両側面に有し、第１、第２の取付位置にある状態でこのスライド機構のスライド溝の内縁に前記軸部が係り合うように構成されている。
【０００６】
このような構成のものであると、コンセントを使用しないときには、蓋面を上向きに設ける第１の取付位置をとれば、コンセントを天板の下方空間に隠蔽し、天板上を広く開放することができるほか、差込口に埃が溜まるといった不都合も有効に防止することが可能であり、一方、常時プラグの抜き差し等を行う場合や、アダプタを使用したい場合には、コンセント面を天板面に表出する第２の取付位置をとれば、プラグの適正な抜き差しやアダプタの適正な取付状態を確保することができる。そして、これらの取付位置を取る場合に、前記配線具が、水平方向に係り合う係り合い手段を利用して前記開口に取り付けられているので、両取付位置で前記配線具が確実且つ安定的に取り付けられることとなる。特に、第２の取付位置でプラグの抜き差し作業を行う場合等、前記配線具に鉛直方向に沿った外力が働くことになるが、この外力が働く方向と係り合い手段の係り合い方向が略直交しているため、前記配線具が係り合い手段を介して確実に保持されることとなり、当該配線具が開口から落下することを有効に防止することが可能となる。
【０００７】
さらに、係り合い手段が、前記開口側或いは配線具側の何れか一方側に設けた凸部と、この凸部と係り合うように他方側の対応位置に設けた凹部とを具備してなり、前記凹部が、前記第１、第２の取付位置において前記凸部の上下部を保持した状態で係り合うものであるので、簡単な構成で、前記第１、第２の取付位置に確実に前記配線具を保持し得るようにできる。
【０００８】
その上、スライド機構が、前記係り合い手段の凸部たる一対の軸部と、この一対の軸部を配線具の短手方向にスライド可能に係り合わせ得るよう前記開口の長手方向側の側面に配線具の短手方向に離間させて設けた一対のスライド溝とを具備しているので、前段で述べた効果を簡単な構成で実現できる。
【０００９】
加えて、前記係り合い手段の凸部と前記スライド機構とを係り合わせてスライド機構を形成しているので、部品の兼用化を図って部品点数の低減化を実現し得る。
【００１０】
また、配線具が、一対の係り合い手段のうちの何れか一方の係り合い手段の係り合いを解除した状態で、他方の係り合い手段を介して回転可能に支持されているので、配線案内作業を行い易いものとし得る。
【００１１】
その上で、配線具が、両係り合い手段のうちの何れか一方の係り合い手段の係り合いを選択的に解除した状態で、他方の係り合い手段により回転可能に支持されて前記開口を開成する両開き可能なものであるので、配線作業の利便性を向上できる。
【００１２】
さらに、係り合い手段が、スライド機構により略水平方向にスライド移動可能に支持されているので、配線具の着脱作業の容易性を図ることができる。
【００１３】
配線具が、自動的に第１、第２の取付位置へ確実に導かれて保持されるようにするには、スライド機構が、前記配線具が第１の取付位置或いは第２の取付位置へと移動する方向へ前記可動ピンたる軸部を動かすように力を付与する力付与手段を具備していることが望ましい。
【００１４】
好適な実施の形態としては、配線具が、前記蓋面を形成する蓋体と、前記コンセント面を形成するコンセントを前記蓋体に取り付けるための取付部とを具備しているものが挙げられる。
【００１５】
コンセントの種類や規格が種々異なるものであっても、有効に対応することができるようにするには、前記取付部の所定箇所に相対離間距離を変更可能な状態で対をなすコンセントホルダを設け、これら両コンセントホルダ間にコンセントを挟み保持させるようにしていることが望ましい。
【００１６】
天板下空間に落とし込んだ配線を外部から隠蔽した状態で好適に収納することができるようにするには、前記開口に配線出入口を臨ませた状態で天板下空間に着脱可能に取り付けられる配線収納ボックスを具備してなることが望ましい。
【００１７】
【発明の実施の形態】
以下、本発明の一実施の形態について図面を参照して説明する。
【００１８】
本実施の形態では、図１に示すように、本発明の配線装置１を机２の天板２１に取り付けた場合について説明する。
【００１９】
この机２は、主としてオフィス等で利用されるもので、略矩形状の天板２１と、前記天板２１を支持する４本の支柱脚２２とを有するものである。前記天板２１は、対向する２辺２１ａ、２１ｂを使用端とし、これら２辺から略等距離に位置する中央部に前記２辺２１ａ、２１ｂに着座した利用者が共有して利用することができる共有領域を設けている。そして、この共有領域に巾方向に沿って開口する開口２３を形成し、この開口２３の周囲にパソコン入力作業等を行う作業領域を有するものである。そして、前記天板２１の下方空間に、前記開口２３に配線出入口３ａを臨ませた状態で、配線類Ｈを収納するための配線収納ボックス３を前記天板２１に着脱可能に取り付けている。なお、図２は、前記開口２３を除く天板２１全体を想像線で示すものである。
【００２０】
配線収納ボックス３は、図２に示すように、枠体状の第１のボックス要素３１と、前記第１のボックス要素３１に支持される箱体状の第２のボックス要素３２とを具備している。そして、前記第１のボックス要素３１の前後上端部に設けた前後鍔部３１１と、第２のボックス要素３２の前後上端部に設けた前後鍔部３２１との間に天板２１の開口２３の開口縁に設けた突条２３１を挟み込んだ状態で、両ボックス要素３１、３２をネジ等を利用して連結することにより配線収納ボックス３を天板２１に支持させるようにしている。
【００２１】
第１のボックス要素３１は、複数の板金素材を塑性変形加工し、さらに適宜の手段で枠体状に組み合わせて構成した上下方向に貫通しているものである。
【００２２】
第２のボックス要素３２は、複数の板金素材を塑性変形加工し、さらに適宜の手段で箱体状に構成した内部に配線収納空間Ｓを有するものである。この第２のボックス要素３２は、上部を開口させてなるもので、その巾寸法及び奥行寸法は、前記第１のボックス要素３１を挿入可能なように該第１のボックス要素３１よりも若干大きく設定されている。そして、前記第２のボックス要素３２内に第１のボックス要素３１を挿入した状態で両ボックス要素３１、３２の左右側壁同士をネジ等を利用して連結するようにしている。
【００２３】
このような構成のものにおいて、本実施の形態では、図２〜図６に示すように、前記天板２１の天板面２１１に開口した前記配線収納ボックス３の開口たる前記配線出入口３ａに配線具６を一対の係り合い手段４を介して取り付けるようにしている。
【００２４】
配線具６は、前記配線収納ボックス３に着脱可能に取り付けられるものであり、前記配線出入口３ａを略閉止するための蓋面ＡとコンセントＣの差込口を有するコンセント面Bとを具備している。そして、この配線具６を選択的に上下反転させて前記係り合い手段４を係り合わせることにより前記蓋面Ａを天板面２１１に表出させる第１の取付位置P（図４参照）と、前記コンセント面Ｂを天板面２１１に表出させる第２の取付位置Ｑ（図５参照）とを少なくとも取り得るようにしている。この配線具６は、具体的には、その表面８ａを前記蓋面Ａとする蓋体８と、前記コンセント面Bを構成するために前記蓋体８の裏面８ｂ側に着脱可能に取り付けたコンセントＣとを具備している。
【００２５】
蓋体８は、薄板状の合成樹脂製のもので、図１、図４及び図５に示すように、第１、第２の取付位置Ｐ、Qで、その前後縁部８ｃ、８ｄと、対向する第１のボックス要素３１の前後縁部３１ａ、３１ｂ間に巾方向に沿って開口する配線挿通口ｓ１を形成した状態で装着されるように、その前後巾寸法が、前記第１のボックス要素３１の前後開口巾寸法よりも若干小さくなるように寸法設定されている。そして、この蓋体８の裏面８ｂ側には、前記コンセントＣ、或いはコンセントＣを保持するコンセントホルダ９を所定箇所に取り付けるための取付部たるレール溝８１が設けてある。このレール溝８１は、前記蓋体８の裏面８ｂ側に巾方向に沿って連続開口するように設けてあり、このレール溝８１の所定箇所にコンセントＣを直接取り付ける、若しくは、一対のコンセントホルダ９を所定箇所に相対離間距離を変更可能な状態で取り付け、これら両コンセントホルダ９間にコンセントＣを挟み保持することにより当該コンセントＣを蓋体８に取り付けるようにしている。
【００２６】
コンセントホルダ９は、図３及び図６に示すように、前記レール溝８１に嵌合する基板９１１及びこの基板９１１の一端部側から直交方向に延出してなる挟み板９１２とから構成される略Ｌ字形状のホルダ本体９１と、前記基板９１１に設けた雌ネジ孔９２にネジ作用で嵌まることにより、前記基板９１１を前記レール溝８１に押し付けて前記ホルダ本体９１を所定位置に固定するネジ９３とを具備してなる。このコンセントホルダ９を利用して前記コンセントＣを前記蓋体８に取り付ける場合には、前記レール溝８１の左右端部から前記基板９１１を挿入して左右巾方向に沿ってスライドさせる。そして、所定箇所で、両コンセントホルダ９の挟み板９１２間にコンセントＣを介在させた状態で、前記雌ネジ孔９３にネジ９２をネジ作用を利用して締め付けることにより、前記基板９１１がレール溝８１に押し付けられ、コンセントホルダ９及びコンセントＣが所定箇所に固定されることになる。
【００２７】
そして、本実施の形態では、前述したように、この配線具６を前後方向に対をなして設けた係り合い手段４を利用して前記配線収納ボックス３に取り付けるようにしている。なお、本実施の形態では、前側に設けたものを係り合い手段４Ａとして、後側に設けたものを係り合い手段４Ｂとして説明する。
【００２８】
係り合い手段４Ａ、４Bは、前記第１のボックス要素３１の左右内側面側に設けた前後一対の凸部たる略円柱状の軸部４１と、前記蓋体８の裏面８ｂ側における前後縁部に左右巾方向に沿って連続して設けた前後一対の凹溝４２とを具備しているもので、これら軸部４１と凹溝４２とが前記第１、第２の取付位置Ｐ、Ｑにおいて略水平方向に係り合うものである。前記凹溝４２は、前記蓋体８の前後縁部から一体に垂下して設けた前方或いは後方に開口する横断面半円弧状のもので、図４及び図５に示すように、前記第１、第２の取付位置P、Qにおいて、前記軸部４１の上下面を支持するものである。また、これら係り合い手段４Ａ、４Ｂは、他方の係り合い手段４Ａ（４Ｂ）の係り合いを解除した状態で、一方の係り合い手段４Ｂ（４Ａ）を介して前記配線具６を両開き可能に支持するものである。すなわち、一方の係り合い手段４Ｂ（４Ａ）を解除した場合に、前記配線出入口３ａの一方の開口縁部３１ｂ（３１ａ）を開放した状態で、他方の係り合い手段４Ａ（４Ｂ）の凹溝４２が軸部４１を介して回転可能に支持されるように構成している。
【００２９】
そして、本実施の形態では、これら係り合い手段４Ａ、４Ｂが、第１のボックス要素３１と配線具６との間に設けたスライド機構５を介して略水平方向にスライド移動可能に支持されている。
【００３０】
スライド機構５は、前記係り合い手段４A、４Ｂの軸部４１と、前記第１のボックス要素３１の左右内側面に設けてなり、前記軸部４１を前後水平方向にスライド移動可能とした状態で係り合う前後一対の長孔状のスライド溝５１と、前記軸部４１に両端部をそれぞれ巻き付けてなり、前記配線具６が前記第１の取付位置Ｐ或いは第２の取付位置Qへと戻る方向へ動く力を前記係り合い手段４の軸部４１に付与する力付与手段たるねじりコイルバネ５２とを具備している。すなわち、図４及び図５に示すように、前記第１、第２の取付位置Ｐ、Ｑでは、前記軸部４１が、スライド溝５１の内縁部５１ａ側と当たる位置で係り合っており、前記配線具６の着脱作業を行う際に、前記軸部４１を前後方向へスライド移動させても、所定取付位置では、前記ねじりコイルバネ５２の弾性力により前記軸部４１がスライド溝５１の内縁５１ａ側と当たる位置へと戻るように設定されている。
【００３１】
このような構成のものにおいて、前記配線具６を蓋面Ａを上向きに表出させた第１の取付位置Pに取り付ける場合の手順について説明する。
【００３２】
先ず、図７に示すように、蓋体８の前縁部８ｃ側に設けた凹溝４２を、前記配線収納ボックス３の前端部側に設けた軸部４１に上斜め方向から近づける。そして、この軸部４１を前記凹溝４２で押して前方にスライドさせながら、図７中実線で示すように前記凹溝４２と軸部４１とを係り合わせる。そして、前記軸部４１に対して配線具６を図中矢印の方向へ回転させて図７中想像線で示すように、前記蓋体８が略水平状態となるようにすれば、前記ねじりコイルバネ５２の弾性力により、前記軸部４１が前記スライド溝５１の内縁５１ａに当たる位置まで自動的に後方へ向かって水平方向にスライド移動して、前記蓋体８の後縁側の凹溝４２が後端部側の軸部４１に水平方向から係り合い、前記配線具６は、図４に示す第１の取付位置Ｐに保持される。
【００３３】
一方、この配線具６を上下反転させてコンセント面Ｂを天板面２１に表出させるべく、前記配線収納ボックス３から取り外す場合には、前述した取り付け作業時とは逆に、前記配線具６を図４中実線で示す位置から図７中想像線で示す位置へと前方に向かって水平スライド移動させて後方側の係り合い手段４Ｂの係り合いを解除した後、前記配線具６を前方側の係り合い手段４Ａを介して図７中実線で示す位置あたりまで回転させた後、後斜め方向へ当該配線具６を引き抜いて前方側の係り合い手段４Ａの係り合いを解除し、前記配線具６を配線収納ボックス３から取り外す。しかる後、前記配線具６を上下反転させて、前述した取り付け作業と略同様の作業を行って図５に示すような第２の取付位置Ｑへと取り付ける。
【００３４】
また、前記係り合い手段４Ａ、４Ｂは、図８に示すように、何れか一方の係り合い手段４Ｂ（４Ａ）の係り合いを解除した状態で、他方の係り合い手段４Ａ（４B）により前記配線具６を回転可能に支持して、前記配線出入口３ａをその前後開口縁部３１ａ、３１ｂの何れかの縁部３１ｂ（３１ａ）を開放した状態で開成し得る両開き可能なものである。また、本実施の形態では、何れか一方の係り合い手段４Ｂ（４Ａ）の係り合いを解除した場合に、前記配線収納ボックス３の配線出入口３ａを開成した状態で、前記配線具６を図８中実線或いは想像線で示す位置に保持して使用することができるようにし、この状態で、前記コンセントＣに電源プラグを抜き差しする作業を行ったり、配線出入口３ａを利用して配線収納ボックス３の配線収納空間Ｓへ配線類Ｈを収納するようにしている。本実施の形態では、前記蓋体８を配線収納ボックス３の前後開口縁部３１ａ、３１ｂに当てて開成位置に保持させるようにしているが、適当な保持手段を設けて保持させるようにしてもよい。
【００３５】
このような構成のものであると、コンセントＣを使用しないときには、図４に示すように、蓋面Ａを上向きに設ける第１の取付位置Pをとれば、コンセントＣを天板２１の下方空間に隠蔽し、天板面２１１を広く開放することができるほか、差込口に埃が溜まるといった不都合も有効に防止することが可能である。一方、常時プラグの抜き差し等を行う場合や、アダプタを使用したい場合には、コンセント面Bを天板面２１１に表出する第２の取付位置Ｑをとれば、プラグの適正な抜き差しやアダプタの適正な取付状態を確保することができる。そして、これらの取付位置P、Ｑを取る場合に、前記配線具６が、水平方向に係り合う係り合い手段４Ａ、４Ｂを利用して前記配線収納ボックス３に取り付けられているので、両取付位置Ｐ、Ｑで前記配線具６が確実且つ安定的に取り付けられることとなる。特に、第２の取付位置Qでプラグの抜き差し作業を行う場合等には、前記配線具６に鉛直方向に沿った外力が働くことになるが、この外力が働く方向と係り合い手段４の係り合い方向が略直交しているため、前記配線具６が係り合い手段４を介して確実に保持されることとなり、当該配線具６が配線出入口３ａから落下することを有効に防止することが可能となる。
【００３６】
係り合い手段４が、前記軸部４１と、この軸部４１と係り合うように配線具６側に設けた凹溝４２とを具備してなり、前記凹溝４２が、前記第１、第２の取付位置Ｐ、Ｑにおいて前記軸部４１の上下部を保持した状態で係り合うものであるので、簡単な構成で、配線具６を上下反転させた場合にも、両取付位置Ｐ、Ｑに確実且つ安定的に前記配線具６を保持することが可能である。
【００３７】
係り合い手段４が、スライド機構５により略水平方向にスライド移動可能に支持されているので、スライド移動させながら、前記係り合い手段４を水平方向へ係り合わせることができ、前記配線具６の着脱作業の容易性を図ることが可能となる。
【００３８】
スライド機構５が、軸部４１と、前記軸部４１をスライド移動可能に係り合わせ得るように配線収納ボックス３に設けたスライド溝５２とを具備しているので、簡単な構成で、配線具６の着脱作業の容易性を図ることが可能となる。
【００３９】
スライド機構５が、前記配線具６が第１、第２の取付位置Ｐ、Ｑへと移動する方向へ前記軸部４１を動かすように力を付与するねじりコイルバネ５２を具備しているので、着脱作業後、前記配線具６を自動的に第１、第２の取付位置Ｐ、Ｑへ案内することができ着脱作業の容易性を図り得る上、前記配線具６を両取付位置P、Ｑに適正に保持することも可能となる。
【００４０】
また、前記係り合い手段４の軸部４１を利用してスライド機構５を構成しているので、部品の兼用化を図って部品点数の低減化を実現することが可能となる。
【００４１】
配線具６が、両係り合い手段４Ａ、４Ｂのうちの何れか一方の係り合い手段４B（４Ａ）の係り合いを選択的に解除した状態で、他方の係り合い手段４Ａ（４Ｂ）を介して回転可能に支持されている両開き可能なものであるので、配線具６を配線収納ボックス３に取り付けた状態で、前記配線出入口３ａを開成させて、配線類Hの出し入れ作業を行ったりできる等、配線作業の利便性を向上させることが可能となる。また、配線具Ｈを配線収納ボックス３に取り付けた状態で前記配線出入口３ａを開成できるので、配線作業時に配線具６を紛失してしまう恐れもない。また、両開き可能なものであるので、前後開口縁部３１ａ、３１ｂの両側から前記配線具６にアクセスして前記配線収納ボックス３に配線類Ｈを落とし込んだりする配線作業を行うことが可能となる等、配線作業の利便性を向上させることが可能となる。
【００４２】
配線具６が、前記第１、第２の取付位置P、Ｑで、蓋体８の前後縁部８ｃ、８ｄと対向して位置する前記配線収納ボックス３の前後開口縁部３１ａ、３１ｂとの間に配線類Ｈを挿通可能な配線挿通口ｓ１を形成した状態で取り付けられるので、配線具６を取り付けた状態でも、配線類Ｈの出し入れを天板面２１１と配線収納ボックス３との間で行うことができる。
【００４３】
配線具６が、前記蓋面Aを形成する蓋体８と、前記コンセント面Ｂを形成するコンセントCを前記蓋体８に取り付けるためのレール溝８１とを具備しているので、本実施の形態のように、前記配線具６を合成樹脂製の板状の蓋体８を主体として、その蓋体８にコンセントＣを取り付ける等の簡単な構成で実現することが可能となる。
【００４４】
前記レール溝８１の所定箇所に相対離間距離を変更可能な状態で対をなすコンセントホルダ９を設け、これら両コンセントホルダ９間にコンセントＣを挟み保持させるようにしているので、対をなすコンセントホルダ９の離間距離をコンセントＣの巾寸法に対応させて変化させれば、コンセントCの大きさや規格が異なり巾寸法が種々異なるものであっても、有効に対応できることになる。
【００４５】
前記天板面２１１に設けた開口２３に配線出入口３ａを臨ませた状態で天板下空間に着脱可能に取り付けられる配線収納ボックス３を具備してなるので、天板下空間に落とし込んだ配線類を外部から隠蔽した状態で好適に収納することができ、配線類が家具の周りにあふれかえることを有効に防止して、オフィス内の美化を図ることが可能となる。
【００４６】
なお、本発明における構成は、以上説明したものに限定されないのは勿論である。例えば、配線具は、上述したような机に対して着脱可能な配線ボックスに取り付けるものに限定されず、天板等に適宜の手段で固定した壁材等に取り付けるようにしてもよいのは勿論である。また、本実施の形態のような連続開口に限られず、天板の間欠位置に複数設けた開口にそれぞれを取り付けるようにしてもよい。さらに、本実施の形態では、前記コンセントＣをコンセントホルダ９を利用して取り付けるようにしていたが、前記レール溝８１に直接コンセントＣを取り付けるようにしてもよいのは、勿論である。その他の構成も本発明の趣旨を逸脱しない範囲で種々変形が可能である。
【００４７】
【発明の効果】
本発明は、以上説明したような構成で実施され以下に記載されるような効果を奏する。
【００４８】
すなわち、本発明は、配線具が、対向位置に配置された一対の係り合い手段を係り合わせることにより蓋面或いはコンセント面を天板面に表出させる前記第１、第２の取付位置に取り付けられるものであり、前記係り合い手段が、両取付位置において略水平方向に係り合うように構成されているので、鉛直方向に外力が働いても、前記配線具が安定的且つ確実に前記開口に取り付けられることとなる。
【００４９】
さらに、係り合い手段が、前記開口側或いは配線具側の何れか一方側に設けた凸部と、この凸部と係り合うように他方側の対応位置に設けた凹部とを具備してなり、前記凹部が、前記第１、第２の取付位置において前記凸部の上下部を保持した状態で係り合うものであるので、簡単な構成で、配線具を上下反転させた場合にも、前記凹部の上下部で、凸部の上下面部を支持することにより両取付位置に確実且つ安定的に前記配線具を保持することが可能である。
【００５０】
その上、スライド機構が、前記係り合い手段の凸部たる一対の軸部と、この一対の軸部を配線具の短手方向にスライド可能に係り合わせ得るよう前記開口の長手方向側の側面に配線具の短手方向に離間させて設けた一対のスライド溝とを具備しているので、前段で述べた効果を簡単な構成で実現できる。
【００５１】
加えて、前記係り合い手段の凸部と前記スライド機構とを係り合わせてスライド機構を形成しているので、部品の兼用化を図って部品点数の低減化を実現し得る。
【００５２】
また、配線具が、一対の係り合い手段のうちの何れか一方の係り合い手段の係り合いを解除した状態で、他方の係り合い手段を介して回転可能に支持されているので、配線具を開口に取り付けた状態で、前記開口を開成させて、配線類の出し入れ作業を行ったりできる等、配線作業の利便性を向上させることが可能となる。また、配線具を開口に取り付けた状態で前記開口を開成できるので、配線作業時に配線具を紛失してしまう恐れもない。
【００５３】
その上、配線具が、両係り合い手段のうちの何れか一方の係り合い手段の係り合いを選択的に解除した状態で、他方の係り合い手段により回転可能に支持されて前記開口を開成する両開き可能なものであるので、対向する開口縁部の両側から前記配線具にアクセスして前記開口に配線類を落とし込んだりする配線作業を行うことが可能となる等、配線作業の利便性を向上させることが可能となる。
【００５４】
係り合い手段が、スライド機構により略水平方向にスライド移動可能に支持されているならば、スライド移動させながら、前記係り合い手段を水平方向へ係り合わせることができ、前記配線具の着脱作業の容易性を図ることが可能となる。
【００５５】
スライド機構が、前記配線具が第１の取付位置或いは第２の取付位置へと移動する方向へ前記可動ピンたる軸部を動かすように力を付与する力付与手段を具備しているならば、着脱作業後、前記配線具を自動的に第１、第２の取付位置へ案内することができ着脱作業の容易性を図り得る上、前記配線具を両取付位置に適正に保持することも可能となる。
【００５６】
配線具が、前記第１、第２の取付位置で、その縁部と対向して位置する前記開口の開口縁部との間に配線類を挿通可能な配線挿通空間を形成した状態で取り付けられるならば、配線具を取り付けた状態でも、配線類の出し入れを天板面と天板下空間との間で行うことができる。
【００５７】
配線具が、前記蓋面を形成する蓋体と、前記コンセント面を形成するコンセントを前記蓋体に取り付けるための取付部とを具備しているならば、前記配線具を例えば合成樹脂製の板状の蓋体を主体として、その蓋体にコンセントを取り付ける等の簡単な構成で実現することが可能となる。
【００５８】
前記取付部の所定箇所に相対離間距離を変更可能な状態で対をなすコンセントホルダを設け、これら両コンセントホルダ間にコンセントを挟み保持させるようにしているならば、対をなすコンセントホルダの離間距離をコンセントの巾寸法に対応させて変化させれば、コンセントの大きさや規格が異なり巾寸法が種々異なるものであっても、有効に対応できることになる。
【００５９】
前記開口に配線出入口を臨ませた状態で天板下空間に着脱可能に取り付けられる配線収納ボックスを具備してなるならば、天板下空間に落とし込んだ配線を外部から隠蔽した状態で好適に収納することができ、配線類が家具の周りにあふれかえることを有効に防止して、オフィス内の美化を図ることが可能となる。
【図面の簡単な説明】
【図１】本発明の一実施の形態を示す全体斜視図。
【図２】同要部を示す分解斜視図。
【図３】同要部を示す分解斜視図。
【図４】同側断面図。
【図５】同側断面図。
【図６】同図５におけるＩ−I線断面図。
【図７】同作用説明図。
【図８】同一使用状態を示す側断面図。
【符号の説明】
１…配線装置
２１…天板
２１１…天板面
３…配線収納ボックス
３ａ…開口（配線出入口）
４…係り合い手段
４１…凸部（軸部）
４２…凹溝
５…スライド機構
５１…スライド溝
５２…ねじりコイルバネ
８…蓋体
８１…取付部（レール溝）
９…コンセントホルダ
Ａ…蓋面
Ｂ…コンセント面
Ｃ…コンセント
Ｈ…配線類
Ｐ…第１の取付位置
Ｑ…第２の取付位置
ｓ１…配線挿通口
【図１】
0003939919.tif 000002
【図２】
0003939919.tif 000003
【図３】
0003939919.tif 000004
【図４】
0003939919.tif 000005
【図５】
0003939919.tif 000006
【図６】
0003939919.tif 000007
【図７】
0003939919.tif 000008
【図８】
0003939919.tif 000009